(57)【要約】【課題】  スライド式のスプライスユニットを装備した光配線盤において、一次および二次側光コードの余長部を万全に保護できる機構を提供する。【解決手段】  ラック内のマウントアングル２にスライド式スプライスユニット５を支持する。スプライスユニット５の固定部６と可動部７との間に一次側配線ダクト８を架設し、一次側光コードＣ１の余長部を案内する。二次側光コードＣ２の余長部を案内する二次側配線ダクト９を可動部７とマウントアングル２との間に架設する。マウントアングル２にダクトケース１１を取り付け、二次側配線ダクト９の屈曲部９ａを出入り自在に収納する。ダクトケース１１をスプライスユニット５のスライド方向に広がるように形成し、一次側配線ダクト８から露出した光ケーブルを保持するケーブルクランプ１６と、光ケーブルの融着接続部を保持する融着接続ホルダ１９とを設ける。【選択図】        図１
2012078743.tif 000002
【特許請求の範囲】
【請求項１】
ラックの内側に立設したマウントアングルにスライド式のスプライスユニットを支持し、スプライスユニットの固定部と可動部との間に一次側光コードの余長部を案内する一次側配線ダクトを架設した光配線盤において、
二次側光コードの余長部を案内する二次側配線ダクトをスプライスユニットの可動部とマウントアングルとの間に架設し、マウントアングルに二次側配線ダクトの屈曲部を出入り自在に収納するダクトケースを取り付けたことを特徴とする光配線盤。
【請求項２】
前記ダクトケースをスプライスユニットのスライド方向に広がるように形成し、該ダクトケースに、一次側配線ダクトから露出した光ケーブルを保持するケーブルクランプと、該光ケーブルの融着接続部を保持する融着接続ホルダとを設けた請求項１記載の光配線盤。
【発明の詳細な説明】
【技術分野】
【０００１】
本発明は、ラック内のマウントアングルにスライド式のスプライスユニットを支持した光配線盤に関する。
【背景技術】
【０００２】
この種の光配線盤において、従来、多数本の光コードの余長部を配線ダクトに収容して案内する技術が知られている。例えば、特許文献１には、スプライスユニットの固定部と可動部との間にフレキシブルな配線ダクトを架設し、ラックの後側から導入した一次側光コードの余長部を配線ダクトに収容し、可動部のスライドに伴って配線ダクトを屈伸させ、一次側光コードを摩損や混線から保護できるように構成した光配線盤が記載されている。
【先行技術文献】
【特許文献】
【０００３】
【特許文献１】特開２００５−１４８３２７号公報
【発明の概要】
【発明が解決しようとする課題】
【０００４】
ところが、従来の光配線盤では、スプライスユニットから光機器側に導き出される二次側光コードが充分に保護されていなかった。通常、二次側光コードの余長部は、多数本が露出状態で束ねられ、ラックの側壁とマウントアングルとの間のスペースに収納されていた。このため、スプライスユニットのスライドに伴い、二次側光コードの余長束が屈伸、揺動し、巻き込み、接触、混線等による不具合を招きやすい。また、ラック内で分岐接続作業を行う場合は、二次側から出る光コードをスプライスユニット内の融着接続部にもどすか、あるいは、分岐接続用のスプライスユニットを追加する必要があり、コストが掛かるうえ、ラック内にスペースを占めるという問題点があった。
【０００５】
そこで、本発明の目的は、スライド式のスプライスユニットを装備した光配線盤において、一次および二次側光コードの余長部を充分に保護できるとともに、ラック内で分岐接続作業を容易に行うことができる機構を提供することにある。
【課題を解決するための手段】
【０００６】
上記課題を解決するために、本発明の光配線盤は、ラックの内側に立設したマウントアングルにスライド式のスプライスユニットを支持し、スプライスユニットの固定部と可動部との間に一次側光コードの余長部を案内する一次側配線ダクトを架設し、二次側光コードの余長部を案内する二次側配線ダクトをスプライスユニットの可動部とマウントアングルとの間に架設し、マウントアングルに二次側配線ダクトの屈曲部を出入り自在に収納するダクトケースを取り付けたことを特徴とする。
【０００７】
また、本発明の光配線盤は、ダクトケースのスペースを有効利用し、ラック内部で光ケーブルの分岐接続等の作業を容易にできるように、ダクトケースをスプライスユニットのスライド方向に広がるように形成し、このダクトケースに、一次側配線ダクトから露出した光ケーブルを保持するケーブルクランプと、光ケーブルの融着接続部を保持する融着接続ホルダとを設けたことを特徴とする。
【発明の効果】
【０００８】
この発明によれば、スライド式のスプライスユニットを装備した光配線盤において、一次側光コードの余長部を一次側配線ダクトで案内し、二次側光コードの余長部を二次側配線ダクトで案内し、さらに、二次側配線ダクトの屈曲部をダクトケースに収納することで、一次および二次側光コードの余長部を万全に保護できるという効果がある。
【図面の簡単な説明】
【０００９】
【図１】本発明による光配線盤のスプライスユニット周辺機構を示す斜視図である。
【図２】スプライスユニットの可動部を引き出した状態を示す斜視図である。
【図３】ダクトケースを拡大して示す斜視図である。
【発明を実施するための形態】
【００１０】
以下、本発明の実施形態を図面に基づいて説明する。図１、図２に示すように、この実施形態の光配線盤１では、ラック（図示略）の内側に左右一対のマウントアングル２が立設されている。マウントアングル２の前面には多数の取付穴３が上下方向に列設され、取付穴３に螺合するネジ４によってスプライスユニット５が取り付けられている。
【００１１】
スプライスユニット５は、マウントアングル２に固定される固定部６と、マウントアングル２に対して前後にスライド可能な可動部７とからなっている。固定部６と可動部７との間には、フレキシブルな一次側配線ダクト８が架設されている。そして、一次側配線ダクト８が一次側光コードＣ１の余長部を収容し、可動部７のスライドに伴ってその余長部を固定部６と非接触の状態で案内するようになっている。
【００１２】
一方、スプライスユニット５から光機器側に導き出される二次側光コードＣ２は二次側配線ダクト９に収容されている。二次側配線ダクト９は、一次側配線ダクト８と同様にフレキシブルに形成され、可動部７の前端コーナ部材１０と左右どちらか一方のマウントアングル２との間に架設されている。そして、可動部７のスライドに伴い、二次側配線ダクト９がマウントアングル２の外側で前後に屈伸して、二次側光コードＣ２をマウントアングル２およびラックの側壁と非接触の状態で案内するようになっている。
【００１３】
マウントアングル２には、二次側配線ダクト９の屈曲部９ａ（図１参照）を出入り自在に収納するダクトケース１１が取り付けられている。ダクトケース１１は、スプライスユニット５のスライド方向（前後方向）に広がる扁平形状に形成されている。ダクトケース１１には、庇１２とカバー１３との間にダクト収納スペース１４が画定され、この収納スペース１４の後側に光ケーブル（図示略）の分岐接続作業を行うための作業スペース１５が設けられ、作業スペース１５の近傍に一次側配線ダクト８の固定端が配置されている。
【００１４】
図３に示すように、作業スペース１５には、一次側配線ダクト８から露出した光ケーブルを保持するケーブルクランプ１６とテンションメンバクランプ１７とが配設されている。作業スペース１５と二次側配線ダクト９の固定端との間にはトレイ１８が設けられ、トレイ１８上に光ケーブルの融着接続部を保持する融着接続ホルダ１９が設けられている。また、トレイ１８とカバー１３との間に光ケーブルの余長収納室２０が形成され、カバー１３で光ケーブルの融着接続部を屈曲部９ａから保護できるようになっている。
【００１５】
従って、この実施形態の光配線盤によれば、一次側光コードＣ１の余長部を一次側配線ダクト８で案内し、二次側光コードＣ２の余長部を二次側配線ダクト９で案内し、その二次側配線ダクト９の屈曲部９ａをダクトケース１１に収納することができる。このため、スライド式のスプライスユニット５を装備した光配線盤１において、一次および二次側光コードＣ１，Ｃ２の余長保護を万全とし、光ケーブルの巻き込み、接触、混線を確実に防止し、光特性値を安定させ、かつスプライスユニット５周辺の外観を向上できる。
【００１６】
また、ダクトケース１１に収納スペース１４に加えて作業スペース１５を設けたので、ここで曲げの不要な光ケーブルの直入や分岐接続作業を容易に行うことができるうえ、作業スペース１５近傍の融着接続ホルダ１９に光ケーブルの融着接続部を保持することもできる。このため、分岐接続用に別途のスプライスユニットを追加することなく、二次側配線ダクト９の収納スペースを有効に利用して、スライド式スプライスユニット５の機能性を高めることができる。
【００１７】
なお、本発明は上記実施形態に限定されるものではなく、発明の趣旨を逸脱しない範囲で、スライド式スプライスユニット５の周辺機構を適宜に変更して構成することも可能である。
【符号の説明】
【００１８】
１    光配線盤
２    マウントアングル
５    スプライスユニット
６    固定部
７    可動部
８    一次側配線ダクト
９    二次側配線ダクト
９ａ    屈曲部
１１    ダクトケース
１６    ケーブルクランプ
１９    融着接続ホルダ
Ｃ１    一次側光コード
Ｃ２    二次側光コード
【図１】
2012078743.tif 000003
【図２】
2012078743.tif 000004
【図３】
2012078743.tif 000005